(57)【要約】【課題】本発明は、手差しトレイにセットする用紙サイズと操作表示パネル部で設定された用紙サイズが一致していることを容易に確認することができるとともに用紙サイズの設定をし忘れることなく確実に設定することが可能な画像形成装置を提供することを目的とするものである。【解決手段】手差しトレイ３７の用紙ガイド部材４３よりも先端側には、用紙が斜行するのを防止する一対の突起部４４が両側に形成されている。そして、一方の突起部４４には、用紙設定ダイヤル５０が回動可能に取り付けられている。ダイヤルの周面には用紙サイズに対応した記号が表示されており、セットした用紙のサイズに合せてダイヤルを回動操作してサイズを設定することができる。用紙設定ダイヤル５０は、利用者が用紙をセットする際に立つ側に取り付けておくと、利用者が操作しやすくまた容易に視認できるため、設定操作のし忘れを防止することができる。【選択図】図２
2008044781.tif 000002
【特許請求の範囲】
【請求項１】
手差し給紙のために装置本体に開閉可能に設けられた手差しトレイと、手差しトレイの用紙載置面側に回動可能に取り付けられるとともに用紙サイズを表示する用紙設定ダイヤルと、用紙設定ダイヤルの設定位置を検知する用紙サイズ検知手段と、用紙サイズ検知手段からの検知信号に基づいて用紙搬送制御を行う制御手段とを備えていることを特徴とする画像形成装置。
【請求項２】
前記制御手段は、前記手差しトレイの開閉検知センサが開状態を検知している場合に用紙サイズ検知手段からの検知信号に基づいて用紙搬送制御を行うことを特徴とする請求項１に記載の画像形成装置。
【請求項３】
前記用紙設定ダイヤルは、前記手差しトレイの色と異なる色に配色されていることを特徴とする請求項１又は２に記載の画像形成装置。
【請求項４】
前記用紙設定ダイヤルは、前記手差しトレイにおいて装置手前側に配置されていることを特徴とする請求項１から３のいずれかに記載の画像形成装置。
【発明の詳細な説明】
【技術分野】
【０００１】
本発明は、複写機、ファクシミリ装置、プリンタ等の画像形成装置に関する。
【背景技術】
【０００２】
電子写真方式の画像形成装置としては、像担持体として例えば感光体ドラムを用いて、その表面を帯電して露光することで静電潜像を形成し、静電潜像にトナーを付着させて可視像化し用紙に転写するといった画像形成を行うものが知られている。
こうした画像形成装置では、複数種類のサイズの用紙を搬送して画像形成処理を行うようになっており、よく使用するサイズの用紙は、給紙カセットにセットして給紙するようにしているが、給紙カセットから給紙することが難しい厚紙等は、手差しトレイから給紙して画像形成処理を行うようにされている。
【０００３】
様々なサイズの用紙を用いる場合、給紙された用紙のサイズに合せて画像処理を行う必要があるため、給紙カセットにセットされた用紙のサイズを検知して画像処理を行うようにされている。
【０００４】
例えば、特許文献１では、給紙トレイの収容部に収容した用紙サイズの表示記号を有する切換設定ダイヤルを回動切換操作して給紙トレイを筺体にセットすると、種別検出センサ及びサイズ検出センサにより、切換設定ダイヤルの種別検出及び回動位置のサイズが検出されて用紙サイズが判定される点が記載されている。また、特許文献２では、給紙トレイの箱体の前縁に装備した用紙サイズ設定ダイヤルを、箱体を引き出した際に箱体の上方へ突出し箱体を差し込む際に装置本体の前面に当接するようにした点が記載されている。
【特許文献１】特開平９−３０４９８２号公報
【特許文献２】特開２００４−９９２３９号公報
【発明の開示】
【発明が解決しようとする課題】
【０００５】
上述した特許文献では、給紙トレイ内にセットした用紙のサイズを表示する設定ダイヤルを設けて利用者に対して用紙のサイズを確認するように促してサイズの違う用紙で画像処理が行われることを防止するようにしているが、画像処理を行う用紙のサイズは、一般に装置の上部に配設された操作表示パネル部に表示されるため、操作表示パネル部から離れた位置にある給紙カセットに表示された用紙サイズと一致しているか確認するのが難しいといった難点がある。
【０００６】
特に、様々な用紙がセットされる手差しトレイから給紙する場合には、セットされた用紙サイズと操作表示パネル部で設定された用紙サイズとが一致しているか確認するのが難しく、操作表示パネル部で設定された用紙サイズを確認せずに手差しトレイに用紙をセットしてジャム等のトラブルを招くことがあった。
【０００７】
そこで、本発明は、手差しトレイにセットする用紙サイズと操作表示パネル部で設定された用紙サイズが一致していることを容易に確認することができるとともに用紙サイズの設定をし忘れることなく確実に設定することが可能な画像形成装置を提供することを目的とするものである。
【課題を解決するための手段】
【０００８】
本発明に係る画像形成装置は、手差し給紙のために装置本体に開閉可能に設けられた手差しトレイと、手差しトレイの用紙載置面側に回動可能に取り付けられるとともに用紙サイズを表示する用紙設定ダイヤルと、用紙設定ダイヤルの設定位置を検知する用紙サイズ検知手段と、用紙サイズ検知手段からの検知信号に基づいて用紙搬送制御を行う制御手段とを備えていることを特徴とする。さらに、前記制御手段は、前記手差しトレイの開閉検知センサが開状態を検知している場合に用紙サイズ検知手段からの検知信号に基づいて用紙搬送制御を行うことを特徴とする。さらに、前記用紙設定ダイヤルは、前記手差しトレイの色と異なる色に配色されていることを特徴とする。さらに、前記用紙設定ダイヤルは、前記手差しトレイにおいて装置手前側に配置されていることを特徴とする。
【発明の効果】
【０００９】
上記のような構成を有することで、手差しトレイに取り付けられた用紙設定ダイヤルを用いてサイズの設定が可能となり、セットした用紙を確認しながらサイズの設定操作が容易に行えるとともに設定のし忘れを確実に防止することができる。そして、セットした用紙と用紙設定ダイヤルで設定したサイズが一致することで、セットした用紙サイズの情報が用紙サイズ検知手段により確実に装置本体に出力されて安定した用紙搬送動作を行うことができる。
【００１０】
また、手差しトレイの開閉検知センサが開状態を検知している場合に用紙サイズ検知手段からの検知信号に基づいて用紙搬送制御を行うことで、手差しトレイが開状態で手差し給紙が可能な場合にのみ用紙サイズ検知手段からの検知信号に基づいて用紙搬送が行われるようになり、手差し給紙動作を確実に行うことができる。
【００１１】
また、用紙設定ダイヤルが手差しトレイの色と異なる色に配色されていることで、用紙設定ダイヤルを利用者が視認しやすくなり、手差しトレイに用紙をセットした際に用紙サイズの設定操作を促すことができる。
【００１２】
また、前記用紙設定ダイヤルを、利用者が手差しトレイに用紙をセットする際に立つ側である装置手前側に配置して、用紙をセットする際に用紙設定ダイヤルを容易に視認できるようにし、設定のし忘れを防止することが可能となる。
【発明を実施するための最良の形態】
【００１３】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１４】
図１は、本発明に係る画像形成装置全体の概略断面図である。画像形成装置１の上部には原稿読取部２が配置され、その下部には、底面から給紙部３、記録部４が配されている。
【００１５】
原稿読取部２では、原稿カバー１０に設けられた原稿トレイ１１に載置された原稿が原稿搬送装置１２により読取手段に対向する位置に搬送されて原稿読取動作が行われ、原稿排紙トレイ１３に排出される。書籍等を読み取る場合には、原稿カバー１０を上方に開いてフラットベッドプラテン１４に書籍等の読取部分を配置し読取手段により読取動作が行われる。以上の構成は、いわゆるＡＤＦタイプ及びフラットベッドタイプを兼ね備えた従来の原稿読取装置と同様のものである。
【００１６】
給紙部３では、給紙カセット１５及び１６が上下２段に配置されており、それぞれフラッパ１７及び１８に所定のサイズの用紙を複数枚積載しておく。フラッパ１７及び１８は図において右端部をヒンジにより軸支されており、ピックアップローラ１９及び２０が左側に配置されている。そして、フラッパ１７及び１８は、積載された用紙の上面がピックアップローラ１９及び２０に当接するように上方に付勢されている。この状態でピックアップローラ１９又は２０が回転駆動すると、摩擦力により用紙が１枚ずつ用紙搬送路に給紙されるようになる。
【００１７】
給紙された用紙は、フィードローラ２１及びプレスローラ２２により記録部４に搬送される。記録部４では、搬送された用紙に画像を記録するために、トナー容器２３、メモリ除去ブラシ２４、帯電チャージャ２５、感光体ドラム２６、転写ローラ２７、露光ヘッド２８及び定着ローラ２９が備えられている。まず、感光体ドラム２６の表面を帯電チャージャ２５を用いて一様に帯電させ、帯電された感光体ドラム２６に露光ヘッド２８で画像記録信号に応じて露光することで静電潜像を形成する。次に、トナー容器２３内のトナーを供給ローラ３０から現像ローラ３１を介して感光体ドラム２６に形成された静電潜像に転移させて可視像化し、転写ローラ２７により感光体ドラム２６表面に形成されたトナー像を用紙に転写する。そして、転写されたトナー像は、定着ローラ２９及びプレスローラ３２によって挟持されて加熱・プレスされ用紙に定着される。定着された用紙は、排出ローラ３３及びプレスローラ３４の間に挟持されて用紙排出トレイ３５に搬出される。
【００１８】
一方、画像形成装置１の側面には、手差しトレイ３７が収納開口部３８に配設されている。図１では、手差しトレイ３７は装置本体に図示しない係止部材により係止されて閉鎖位置にあるが、回動軸３９により軸支されて開放位置に回動するようになっている。収納開口部３８の下部には手差し給紙された用紙を搬送するためのピックアップローラ４０及びそれに圧接するパッド４１が配設されており、ピックアップローラ４０が回転することで、手差しされた用紙が給紙され、ガイド４２に沿ってフィードローラ２１及びプレスローラ２２の間に搬送される。
【００１９】
図２は、手差しトレイ３７が開放位置に設定された状態を示す一部拡大斜視図である。手差しトレイ３７の上面が用紙の載置面となっており、上面の両側には一対の用紙ガイド部材４３が設けられている。用紙ガイド部材４３は、上面に形成された直線状の溝に嵌合して側端部から中央部に移動可能に取り付けられており、一方のガイド部材を溝に沿って移動させると、他方のガイド部材も連動して移動するように、図示せぬ連動機構が手差しトレイ３７の内部に設けられている。したがって、一対の用紙ガイド部材４３の間に用紙を載置して用紙ガイド部材４３を用紙の側端に当接させるように移動させることで、用紙がそのサイズに応じた位置にセットされるようになる。
【００２０】
手差しトレイ３７の用紙ガイド部材４３よりも先端側には、用紙を給紙する際に用紙が斜行するのを防止する一対の突起部４４が両側に形成されている。そして、一方の突起部４４には、用紙設定ダイヤル５０が回動可能に取り付けられている。用紙設定ダイヤル５０は、利用者が用紙をセットする際に立つ側である装置の手前側に取り付けておくと、利用者が操作しやすくまた容易に視認できるため、設定操作のし忘れを防止することができる。
【００２１】
装置本体側の収納開口部３８には、手差しトレイ３７の開閉を検知する開閉検知センサ４５が配設されており、手差しトレイ３７が収納開口部３８内に収納されて閉じられた状態になると、開閉検知センサ４５の図示せぬ作動バーが手差しトレイ３７に押圧されて開閉検知センサ４５がオフ状態となる。また、手差しトレイ３７が回動して開いた状態になると、開閉検知センサ４５の作動バーの押圧状態が解除されてオン状態となる。
【００２２】
図３は、用紙設定ダイヤル５０が取り付けられた部分を拡大した斜視図である。突起部４４は、断面円弧状に形成されて曲面状に突出しており、その中央部分を所定幅で穿設しし、その内部に円盤状の用紙設定ダイヤル５０が挿入されて回動可能に軸支されている。用紙設定ダイヤル５０の外周面には、用紙のサイズの種別を示す記号が表示されている。この例では、「Ｂ５」、「Ａ４」、「Ｂ４」、「Ａ３」・・・といった記号５０ａが表示されている。
【００２３】
そして、用紙設定ダイヤル５０は外周面に表示された記号５０ａの間隔に応じて所定角度ずつ回動するように図示せぬ規制手段が設けられている。規制手段としては、例えば、周方向に所定角度ずつずらせて穴部を形成しておき、１つの穴部に嵌め込まれる突起が形成された弾性部材を設けておけば、用紙設定ダイヤル５０を手動により回動させれば、所定角度ずつ回動させることができる。
【００２４】
突起部４４の外表面には、用紙設定ダイヤル５０に近接して三角形の指示マーク４４ａが刻設されている。手差しトレイ３７にセットした用紙のサイズを設定する場合には、該当するサイズ種別の記号が指示マーク４４ａに合致するように手動で用紙設定ダイヤル５０を回動させる。
【００２５】
用紙設定ダイヤル５０は、突起部４４とは異なる色に配色しておくと、利用者が用紙設定ダイヤル５０を容易に視認でき、手差しトレイ３７に用紙をセットした際に該当する用紙サイズが設定されているか確認したり、設定操作をし忘れることがない。例えば、突起部４４が薄色系の場合には、用紙設定ダイヤル５０を濃色系にすればコントラストが明確になり、より好ましい。
【００２６】
突起部４４の内部には、用紙設定ダイヤル５０の回動位置を検知する用紙サイズ検知センサ５１が配設されている。用紙サイズ検知センサ５１としては、用紙設定ダイヤル５０の側面に形成された反射部や貫通孔を用いて光学的に検知してもよいし、側面に導電体を取り付けて電気的に検知するようにしてもよい。こうした用紙サイズ検知センサ５１により指示マーク４４ａに合致する用紙サイズの記号に対応した検知信号が出力されるようになる。
【００２７】
図４は、手差し給紙を行う場合の給紙制御に関する概略ブロック構成図である。手差し給紙動作を制御する制御部６０は、手差しトレイ３７の開閉を検知する開閉検知センサ４５及び用紙サイズ検知センサ５１と接続されており、各検知センサの検知信号が入力されるようになっている。
【００２８】
手差しトレイ３７が閉じられて開閉検知センサ４５がオフ状態では、制御部６０は、手差し給紙制御を行うことなく、通常の給紙カセットからの給紙制御を行うようになる。手差しトレイ３７が開くと、開閉検知センサ４５がオン状態となり、制御部６０は、開閉検知センサ４５からの検知信号に基づいて用紙サイズ検知センサ５１からの検知信号をチェックする。用紙設定ダイヤル５０が利用者により回動操作されて所定のサイズに設定されると、その用紙サイズに対応した検知信号が制御部６０に入力されて用紙サイズに関するデータが登録される。
【００２９】
そして、装置本体の操作表示パネルからプリント指令が入力されると、制御部６０は、ピックアップローラ４０の回転を開始して手差し給紙動作を行う。手差し給紙された用紙は、フィードローラ２１及びプレスローラ２２の間に搬送され、登録された用紙サイズに合せて記録部４において画像形成処理が行われる。
【００３０】
以上のように、手差しトレイに取り付けられた用紙設定ダイヤルにより利用者が手差し給紙する用紙のサイズを容易に設定できるとともに、用紙をセットした際に用紙設定ダイヤルを視認して確実に用紙サイズの設定操作を行うようになる。
【図面の簡単な説明】
【００３１】
【図１】本発明に係る画像形成装置全体の概略断面図である。
【図２】手差しトレイが開放位置に設定された状態を示す一部拡大斜視図である。
【図３】用紙設定ダイヤルが取り付けられた部分を拡大した斜視図である。
【図４】手差し給紙を行う場合の給紙制御に関する概略ブロック構成図である。
【符号の説明】
【００３２】
１    画像形成装置
２    原稿読取部
３    給紙部
４    記録部
５    筐体
６    外装体
33    排出ローラ
34    プレスローラ
35    排出トレイ
36    用紙後端検知センサ
37    手差し給紙トレイ
38    収納開口部
39    回動軸
40    ピックアップローラ
41    パッド
42    ガイド
43    用紙ガイド部材
44    突起部
45    開閉検知センサ
50    用紙設定ダイヤル
51    用紙サイズ検知センサ
60    制御部
【図１】
2008044781.tif 000003
【図２】
2008044781.tif 000004
【図３】
2008044781.tif 000005
【図４】
2008044781.tif 000006